(57)【要約】【課題】  基材の長手方向に沿ってバーコードを構成する線状のコードパターンが形成されている識別タグを提供することを目的とする。【解決手段】  本発明は、ループ状に接合される長尺状の基材からなる識別タグにおいて、前記基材の一方の面の一部に前記接合に用いる粘着剤層１２が設けられ、前記基材の他方の面であって、前記基材をループ状に接合した際のループ外周をなす長さの半分以上の領域に対して、前記基材の長手方向に沿ってバーコード１００を構成する線状のコードパターンが形成されていることを特徴とする識別タグにより上記の課題を解決した。【選択図】  図１
2015129857.tif 000002
【特許請求の範囲】
【請求項１】
ループ状に接合される長尺状の基材からなる識別タグにおいて、前記基材の一方の面の一部に前記接合に用いる粘着剤層が設けられ、前記基材の他方の面であって、前記基材をループ状に接合した際のループ外周をなす長さの半分以上の領域に対して、前記基材の長手方向に沿ってバーコードを構成する線状のコードパターンが形成されていることを特徴とする識別タグ。
【請求項２】
前記バーコードが形成された側の基材面に前記バーコードの全領域を覆わない大きさの伝票部が積層され、前記伝票部には前記基材面に形成されたバーコードと対応する識別情報が形成されていることを特徴とする請求項１記載の識別タグ。
【請求項３】
前記基材の長手方向の端部領域はラベル部領域をなし、前記ラベル部領域と前記バーコードが形成されたタグ部領域との間には切り離し予定線が設けられており、前記ラベル部領域をなす基材の一方の面には粘着剤層が設けられ、他方の面には前記バーコードと対応する識別情報が形成されていることを特徴とする請求項１又は２記載の識別タグ。
【請求項４】
前記ラベル部領域に形成された識別コードはバーコードであり、前記タグ部領域に形成されたバーコードの延長上に形成されていることを特徴とする請求項３記載の識別タグ。
【発明の詳細な説明】
【技術分野】
【０００１】
本発明は、識別タグに関し、さらに詳しくは基材の長手方向に沿ってバーコードを構成する線状のコードパターンが形成されている識別タグに関するものである。
【背景技術】
【０００２】
帯状に形成された基材の表面に、会社名、記号、荷物の目的地、経由ルート、荷物証明番号等の記載事項が印刷されたタグにより荷物の管理を行う管理システムが航空会社等で運用されている。近年では、国内、海外旅行者の増加に伴い、荷物管理の正確さと迅速さが課題となってきている。手荷物用タグとしては、例えばファンフォールド型に折り重ねたり、あるいはロール状に巻き取ったりしたものを記録用プリンターで一荷物分ずつ連続的に所要事項を記録後、一荷物につき手荷物用情報記載部片と引換用情報記載部片とに切り離す。前者は荷物の取っ手などにくぐらせ、熱融着部の少なくとも一部を対向させて加熱融着して荷物に装着し、後者は搭乗者に控えとして渡されるというようなものが開示されている。（例えば、特許文献１参照）
【０００３】
その他のタグとしては医療用タグがあり、水による汚損や擦れから保護され、靴の内側に取り付けることで、着用者を識別することが可能となったものが開示されている。（例えば、特許文献２参照）
【先行技術文献】
【特許文献】
【０００４】
【特許文献１】特開平７−５６５１３号公報
【特許文献２】特開平６−９５５９２号公報
【発明の概要】
【発明が解決しようとする課題】
【０００５】
特許文献１に記載のものは、手荷物用タグとして手荷物用情報記載部片を手荷物に装着し、引換用情報記載部片を搭乗者に控えとして渡されるものである。
【０００６】
しかしながら、手荷物用タグとして手荷物用情報記載部片を手荷物に装着し、手荷物用情報記載部片の情報を読取る場合に、記載されたバーコードの長さが短く、読取り装置による読取りの取り扱いが不便であるという課題がある。
【０００７】
さらに、医療用タグとしては、患者の手首や足首に氏名、年齢、住所、性別、電話番号、個人的な医療情報を記載したタグを巻き付け、本人確認は当然のことながら、本人と関連付けられたベッドにも薬剤の種類や量、投薬の時間等を記載した識別タグを設置し、医療関係者が短時間に確実に情報を読取る必要があるという課題がある。
【０００８】
そこで本発明は、基材をループ状に接合した際のループ外周をなす長さの半分以上の領域に対して、前記基材の長手方向に沿ってバーコードを構成する線状のコードパターンが形成されている識別タグを提供することを目的とする。
【課題を解決するための手段】
【０００９】
本発明に係わる識別タグは、以下の各発明により上記課題を解決した。なお、以下の各発明に付した括弧内の符号は、図面に付した符号と対応している。
【００１０】
本発明に係わる第１の発明は、ループ状に接合される長尺状の基材からなる識別タグにおいて、前記基材の一方の面の一部に前記接合に用いる粘着剤層（１２）が設けられ、前記基材の他方の面であって、前記基材をループ状に接合した際のループ外周をなす長さの半分以上の領域に対して、前記基材の長手方向に沿ってバーコード（１００）を構成する線状のコードパターンが形成されていることを特徴とする識別タグである。
【００１１】
本発明に係わる第２の発明は、第１の発明において、前記バーコード（１００）が形成された側の基材面に前記バーコード（１００）の全領域を覆わない大きさの伝票部（２８）が積層され、前記伝票部（２８）には前記基材面に形成されたバーコード（１００）と対応する識別情報が形成されていることを特徴とする識別タグである。
【００１２】
本発明に係わる第３の発明は、第１の発明または第２の発明において、前記基材の長手方向の端部領域はラベル部領域（Ｄ）をなし、前記ラベル部領域（Ｄ）と前記バーコード（１００）が形成されたタグ部領域との間には切り離し予定線が設けられており、前記ラベル部領域をなす基材の一方の面には粘着剤層が設けられ、他方の面には前記バーコードと対応する識別情報が形成されていることを特徴とする識別タグである。
【００１３】
本発明に係わる第４の発明は、第３の発明において、前記ラベル部領域（Ｄ）に形成された識別コードはバーコード（１００）であり、前記タグ部領域（Ｃ）に形成されたバーコード（１００）の延長上に形成されていることを特徴とする識別タグである。
【発明の効果】
【００１４】
本発明によれば、タグ部と伝票部が互いに関連付け情報で関連付けられており、タグ部領域の長手方向にバーコードが長く形成されているので、基材をループ状に接合した際にバーコード読取装置により任意の位置ないしは任意の方向からも自由自在にバーコードの情報を読取ることができるという効果がある。
【図面の簡単な説明】
【００１５】
【図１】本実施形態に係わるバーコードの平面図の一例である。
【図２】本実施形態に係わる識別タグの一例である。
【図３】本実施形態に係わる識別タグの他の一例である。
【図４】本実施形態に係わる識別タグの他の一例である。
【発明を実施するための形態】
【００１６】
次に、本発明の実施形態について、図面を参照して詳述する。
【００１７】
図１は、本実施形態に係わるバーコードの平面図の一例である。
図１において、１４はマージン、１５はマージン、１６はバーコードシンボル、１００はバーコード、Ｔはバーコードの長さを示している。
【００１８】
マージンとは、余白のことで、左右にそれぞれ細いバーの１０倍以上、もしくは、２．５ｍｍ以上のスペースが必要である。色はスペースと同じ色で、通常は白である。バーコードシンボルとはバーとスペースの組み合わせを指すもので、バーコードシンボルと左右のマージンを合わせてバーコードと呼ぶ。マージンの領域が少ないとバーコード読取装置はバーコードシンボルの始まりと終わりが認識できないために読取ることができなくなる。
【００１９】
バーコードは、幅が変化する平行かつ長方形のバーとスペースの配列によって情報をコード化したものであり２次元バーコードであるＱＲコード（登録商標）と区別するために１次元バーコードとも呼ばれる。バーコードは世界で１００種類以上もあるとされており、太いバー及び細いバーのみの２種類で構成されるバイナリーコードと、何種類かの太さを持つバーで構成されているマルチレベルコードに大別される。
【００２０】
バーコードには商品識別コードがあり、商品識別コードは、ＵＰＣコードとＥＡＮコードに分けられる。ＵＰＣ（Ｕｎｉｖｅｒｓａｌ  Ｐｒｏｄｕｃｔ  Ｃｏｄｅ）コードはアメリカで規格化された商品識別コードで、ＥＡＮ（Ｅｕｒｏｐｅａｎ  Ａｒｔｉｃｌｅ  Ｎｕｍｂｅｒ）コードはＵＰＣコードをもとにヨーロッパで規格化された商品識別コードである。日本では、ＥＡＮコードの１つとしてＪＡＮ（Ｊａｐａｎｅｓｅ  Ａｒｔｉｃｌｅ  Ｎｕｍｂｅｒ）コードが用いられ、ＥＡＮコードは１３桁の標準バージョンと８桁の短縮バージョンがある。ＵＰＣコードは１２桁の標準バージョンと７桁の短縮バージョンがある。その他のコードとしては、ＩＴＦコード、ＮＷ−７、ＣＯＤＥ３９、ＣＯＤＥ１２８、ＵＰＣ−Ａ、ＵＰＣ−Ｅ等がある。
【００２１】
バーコードの長さＴは、０．５ｃｍ以上である。より好ましくは５ｃｍ以上である。０．５ｃｍよりも短いとバーコード読取装置を用いた場合に読み難い。
【００２２】
バーコードの品質は、印刷方式、印刷条件、製版条件によって変化する。従って、精度の高いバーコードを印刷するためには前記の条件に適した製版を作成することが重要である。オフセット印刷でバーコード印刷する場合には、画像の再現性がよく、線幅のシャープさに優れた特性があり、バーコード印刷に適している。シールラベル印刷でバーコード印刷する場合には、亜鉛凸版や樹脂版で行うのが一般的で、品質が安定しており、オフセット印刷と同様に線幅の補正を考慮する必要がほとんどないという特性がある。
【００２３】
図２は、本実施形態に係わる識別タグの一例である。
図２において、１０は分離容易な接合構造、１１は分離困難な接合構造、１２は粘着剤層、１３は粘着剤層、２１は第三基材、２２は第二基材、２３は第一基材、２４はラベル部、２５はラベル部、２６はラベル部、２７はタグ部、２８は伝票部、３１は感圧式複写構造、３２は感圧式複写構造、４１は切り離し予定線、Ｘは関連付け情報、Ａは接合構造形成領域、Ｂは関連付け情報形成領域、Ｃはタグ部領域、Ｄはラベル部領域を示している。
図２において、第一基材２３からなるタグ部領域Ｃからなる長尺状のタグ部２７と第二基材２２と第二基材２２に塗工された感圧式複写構造３２と第三基材２１と第三基材２１に塗工された感圧式複写構造３１とからなる伝票部２８が形成されている。タグ部２７には、タグ部２７と伝票部２８とを関連付ける関連付け情報Ｘが付与されている。タグ部領域Ｃは、ループとなる領域で、バーコードの長さＴはタグ部領域Ｃの長さと同じかＣの長さの半分以上であることが好ましい。
【００２４】
タグ部２７は短辺方向が同じ長さの基材が２枚積層されているが、用途によっては複数枚積層されていてもよい。また、同じ長さの基材の同じという意味は、本発明ではほぼ同じという意味も含まれており、タグ部２７の短辺方向の長さより基材の短辺方向の長さが短くても長くてもよい。第一基材２３のタグ部２７に相当する関連付け情報Ｘの面と反対面にタグ部２７をループ状に接合するための粘着剤層１２を設けた。
【００２５】
接合構造形成領域Ａに相当する領域に第一基材２３、第二基材２２、第三基材２１をそれぞれ互いに接合させるように接合構造を形成した。前記接合構造のうち第一基材２３と第二基材２２との間の接合構造は、分離困難に接合されており、以下、分離困難な接合構造１１と呼ぶ。前記接合構造のうち第二基材２２と第三基材２１との間の接合構造１０は分離容易に接合されており、以下、分離容易な接合構造１０と呼ぶ。分離容易な接合構造１０ならびに分離困難な接合構造１１を総称して示す場合には単に接合構造と呼ぶこととする。
【００２６】
第一基材２３は、前記接合構造を形成する接合構造形成領域Ａと関連付け情報Ｘを形成する関連付け情報形成領域Ｂとタグ部２７をなすタグ部領域Ｃとから形成されており、関連付け情報形成領域Ｂとタグ部２７との間には切り離し予定線４１が設けられている。前記切り離し予定線４１の代表的な例はミシン目であるが、ミシン目に限定されるのではなく、切り離し可能な構造であればよい。
【００２７】
以下、切り離し予定線４１としてミシン目を例に説明する。ミシン目を境に関連付け情報形成領域Ｂとタグ部領域Ｃとを切り離すと関連付け情報形成領域Ｂと第二基材２２とが分離困難な接合構造１１を介して互いに接合された状態となるので、タグ部２７と伝票部２８の各枚目が関連付けられるようになる。第一基材２３にはラベル部２４、２５、２６をなすラベル部領域Ｄを形成することもできる。タグ部２７をなすタグ部領域Ｃとラベル部２４との間にはミシン目からなる切り離し予定線４１が設けられ、ラベル部領域Ｄをなす第一基材２３の一方の面のそれぞれには関連付け情報Ｘが形成され、第一基材の他方の面には粘着剤層１３が形成されている。
【００２８】
前記分離容易な接合構造１０、分離困難な接合構造１１は線状糊であって、材料としては水系アクリルエマルジョン接着剤を用いることができるがこれに限定されるものではない。その他の材料としては、例えば膠（コラーゲン、水溶性コラーゲン）、カゼイン、大豆蛋白、合成蛋白等の蛋白質類；スターチ、酸化澱粉等の澱粉類；天然ゴム系、スチレンーブタジエン共重合体等の合成ゴム系；アクリル酸エステル−メタクリル酸エステルの共重合体等のアクリル樹脂；シアノアクリレート系樹脂；エチレン−酢酸ビニル共重合体等のポリ酢酸ビニル系樹脂；ポリビニルアルコール等の水溶性合成樹脂；オレフィン−無水マレイン酸樹脂等のオレフィン系樹脂；アミノ樹脂；フェノール樹脂；エポキシ樹脂；ポリウレタン系樹脂；メラミン−ホルムアルデヒド樹脂、フェノール−ホルムアルデヒド樹脂等のアルデヒド系樹脂；ポリオレフィン系等のホットメルト型樹脂；ポリビニルアセタール樹脂；エラストマー系樹脂を適宜選択して使用できる。使用方法としては接着剤を単独又は混合して使用できる。また必要に応じて接着付与剤、可塑剤、軟化剤、硬化剤などを加えることもできる。接着剤の形式としては、水系、溶剤系、ワックス系、ホットメルト系、紫外線硬化型系、圧着系等、その種類を選ばない。線幅は１ｍｍ〜３ｍｍが好適な範囲である。
【００２９】
以下、分離困難な接合構造１１ならびに分離容易な接合構造１０についてさらに詳しく説明する。
図２では、第一基材２３と第二基材２２との間の線状糊が２本で、第二基材２２と第三基材２１との間の線状糊が１本形成されているが、第一基材２３と第二基材２２との間の線状糊が３本で、第二基材２２と第三基材２１との間の線状糊が２本でもよく、本数の差があれば複数本の線状糊を各枚目に設けることができる。第一基材２３と第二基材２２との間の線状糊を連続的に形成し、第二基材２２と第三基材２１との間の線状糊を断続的、すなわちスポット状あるいは破断線状に設けることができる。線状糊の塗布形態は、直線状の細線に限られるものではなく、例えば、帯状、スポット状、破断線状、パターン状等のいずれでもよい。
【００３０】
さらに第一基材２３と第二基材２２との間の線状糊の接着強度を第二基材２２と第三基材２１との間の線状糊の接着強度より強く形成するよう糊の材料を変えてもよい。線状糊の材料として水系アクリルエマルジョン接着剤を用いた場合には、線状糊の本数を変えることにより接着強度を変えることも可能である。
【００３１】
第一基材２３の材料としては、識別タグの強度を確保するためにユポ（登録商標）を用いた。ユポとは、ポリプロピレンを主原料とするフィルム状の合成紙で株式会社ユポ・コーポレーションの持つ登録商標である。ユポ（登録商標）の厚さは、５０μｍ〜２００μｍの範囲が好適である。
【００３２】
第二基材２２は、裏面すなわち第一基材２３との対向面側にカーボンインキを塗布したカーボンを設け、前記基材とカーボンインキの間に目止め加工を施した感圧式複写構造３２を有する用紙を用いた。第三基材２１には発色剤と顕色剤とが塗工された感圧式複写構造３１を有するノーカーボン用紙を用いた。すなわち感圧式複写構造３１には発色剤である染料カプセルと顕色剤の双方が塗工されており、圧力を加えるとカプセルが破壊され顕色剤と化学反応して発色するタイプのものである。
【００３３】
粘着剤層１２および粘着剤層１３には、両面テープを用いたが粘着可能なものであればこれに限定されるものではない。分離容易な接合構造１０により第三基材２１は剥ぎ取りやすいように形成され、第二基材２２には第三基材２１を剥ぎ取った際に一緒に取れないようにするために分離困難な接合構造１１が形成される。
【００３４】
図３は、本実施形態に係わる識別タグの他の一例である。図３において、１７は分離容易な接合構造、１８は粘着剤層、３４は第四基材、３５はラベル部、３６は第五基材、６１は切り離し予定線、Ｈは接合構造形成領域、Ｌはタグ部領域、Ｊはラベル部領域を示している。
第五基材３６は、分離容易な接合構造１７を介して形成されており必要に応じて第五基材３６を剥ぎ取って使用する。図３では、第五基材３６の裏面には複写構造が形成されていないが複写構造を適宜用いてもよい。また、図３においてバーコード１００は第五基材３６と重ならないようにタグ部領域Ｌに形成されているが、第五基材３６が透明基材である場合には、第五基材の上面から下層のバーコード１００を読取ることができるのでタグ部領域Ｌの全面にバーコード１００が形成されていてもよい。タグ部領域Ｌは、ループとなる領域で、バーコードの長さＴはタグ部領域Ｌの長さと同じかＬの長さの半分以上であることが好ましい。
【００３５】
図４は、本実施形態に係わる識別タグの他の一例である。図４において、１９は粘着剤層、２９はラベル部、３０は第六基材、５１は切り離し予定線、Ｅは粘着部領域、Ｆはタグ部領域、Ｇはラベル部領域を示している。粘着部領域Ｅに形成されている粘着剤層１９は、手荷物等に巻き付けて使用する場合に用いられるもので、バーコード１００が形成されている面と反対面のラベル部領域Ｇの近傍であるタグ部領域Ｆに接着される。タグ部領域Ｆと粘着部領域Ｅは、ループとなる領域で、バーコードの長さＴはタグ部領域Ｆと粘着部領域Ｅを合わせた長さと同じか前記合わせた長さの半分以上であることが好ましい。
【００３６】
以下、具体的な実施例について説明する。
【００３７】
（実施例１）
図２に示した識別タグの製造工程の一例を以下に示した。
印刷工程では、第三基材２１に相当する連続用紙の表面に絵柄印刷を行う。次に第二基材２２に相当する連続用紙の表面に絵柄印刷を行い、裏面にバックカーボンを行う。次に第一基材２３に相当する連続用紙の表面に絵柄印刷を行う。
印字工程では、第三基材２１の関連付け情報形成領域Ｂとタグ部領域Ｃとラベル部領域Ｄに印字を行う。他方第一基材２３の関連付け情報形成領域Ｂとタグ部領域Ｃとラベル部領域Ｄにバーコードを含む印字を行う。
丁合工程では、第一基材２３の裏面に両面テープを貼付しタグ部２７の粘着剤層１２ならびにラベル部２４、２５、２６の粘着剤層１３を設ける。次に第二基材２２の裏面にライングリューにて線状糊を２本設け、第一基材２３に貼付する。次に第三基材２１の裏面にライングリューにて線状糊を１本設け第二基材２２に貼付する。
最後に連続用紙が丁合されてなる丁合物を仕上げサイズにシートカットする。
ここで、ライングリューとは走行する基材の表面にノズルから線状糊等の接着剤を吐出して塗布する接着剤の塗布方法または装置のことをいう。
【産業上の利用可能性】
【００３８】
本発明の識別タグは、搭乗者が乗り継ぎのために別の航空機を利用したり、他の航空会社を利用したりする時に用いることができる。この場合、タグ部と伝票部とを関連付ける関連付け情報が付与された本発明の識別タグにより同一識別タグで同一搭乗者が何回でも使用することが可能となり、伝票部の枚数に制限がないため、搭乗者の控え伝票のみならず、航空会社の控え伝票としても利用することが可能である。
【００３９】
また、本発明の識別タグは、患者の手首や足首に氏名、年齢、住所、性別、電話番号、個人的な医療情報を記載したタグを巻き付けて利用できる。本人照合確認はもちろんのこと、本人と関連付けられたベッドにも薬剤の種類や量、投薬の時間等を記載した識別タグを巻き付けて使用することで医療関係者による医療ミスを防止することが可能となる。
【符号の説明】
【００４０】
１０      分離容易な接合構造
１１      分離困難な接合構造
１２      粘着剤層
１３      粘着剤層
１４      マージン
１５      マージン
１６      バーコードシンボル
１７      分離容易な接合構造
１８      粘着剤層
１９      粘着剤層
２１      第三基材
２２      第二基材
２３      第一基材
２４      ラベル部
２５      ラベル部
２６      ラベル部
２７      タグ部
２８      伝票部
２９      ラベル部
３０      第六基材
３１      感圧式複写構造
３２      感圧式複写構造
３４      第四基材
３５      ラベル部
３６      第五基材
４１      切り離し予定線
５１      切り離し予定線
６１      切り離し予定線
Ａ        接合構造形成領域
Ｂ        関連付け情報形成領域
Ｃ        タグ部領域
Ｄ        ラベル部領域
Ｅ        粘着部領域
Ｆ        タグ部領域
Ｇ        ラベル部領域
Ｈ        接合構造形成領域
Ｊ        ラベル部領域
Ｌ        タグ部領域
Ｔ        バーコードの長さ
Ｘ        関連付け情報
１００    バーコード
【図１】
2015129857.tif 000003
【図２】
2015129857.tif 000004
【図３】
2015129857.tif 000005
【図４】
2015129857.tif 000006